(57)【要約】【課題】従来は、ＥＣＣブロックのセクタアドレスはセクタの最初の３フレームのアドレス情報からのみアドレス検出可能であるため、ＥＣＣブロックの先頭の数フレームを消失してしまうと、セクタアドレスが直ぐに復帰できない。【解決手段】カウンタ１５は、情報速度記憶装置１３に記憶された情報速度の値が設定され、その設定情報速度で自走してカウント動作を行う。アドレス検出装置１７は、アドレス検出中に同期情報検出装置１４から同期情報検出の通知があった場合には、カウンタ１５の値をアドレス検出装置１７で検出したアドレスから逆算して再設定する。同期信号を検出できないときでも、カウンタ１５のカウント値に基づいて大まかな現在のアドレスを特定することができるため、同期信号が再検出できた場合に最も近いアドレスを当てはめることで、高速にアドレスの復帰ができる。【選択図】            図１
2004335045.tif 000002
【特許請求の範囲】
【請求項１】
情報記録領域が複数の階層の情報単位で記録され、最下位の階層の情報単位はフレームであり、該フレームは同期信号とデータ部分から構成されると共に各階層の情報単位のアドレス情報の一部又は全部を含み、連続する一又は二以上の前記フレーム又は一定の規則に従って配置された一又は二以上の前記フレームに含まれる前記アドレス情報に基づいて、前記複数の階層のうち少なくとも一以上の階層の情報単位のアドレスが記録され、前記フレームはアドレス順に記録された記録媒体から記録信号を再生して前記同期信号を検出し、検出した前記同期信号に基づいて情報を再生する再生装置であって、
前記記録媒体から再生された信号を入力として受け、固定周波数のマスタークロックに位相同期した再生信号とビットクロックを再生する位相同期ループ手段と、
前記マスタークロックと前記位相同期ループ手段からの前記ビットクロックの各周期の割合に比例した情報速度を測定する情報速度測定手段と、
前記情報速度測定手段で測定された前記情報速度が設定され、設定された該情報速度でカウント動作を、最上位の階層の情報単位の周期で行うカウント手段と、
前記位相同期ループ手段からの前記再生信号及びビットクロックに基づいて、前記再生信号中の前記同期信号を検出する同期信号検出手段と、
前記同期信号検出手段により検出された同期信号と、前記位相同期ループ手段からの前記再生信号及びビットクロックに基づいて、前記アドレスを検出すると共に前記カウント手段のカウント値を再調整するアドレス検出手段と、
前記同期信号検出手段により前記同期信号が検出されなくなった後、再び前記同期信号が検出された時に、前記カウント手段のカウント値と前記フレームのビット長とに基づいて前記アドレスを復帰させるアドレス復帰手段と
を有することを特徴とする再生装置。
【請求項２】
前記カウント手段のカウント値と前記フレームのビット長とに基づいて、次に再生されるべきアドレスを予測するアドレス予測手段と、前記アドレス予測手段により予測されたアドレスと、前記アドレス検出手段により検出されたアドレスとを比較し、該予測されたアドレスと該検出されたアドレスとの差が予め設定した所定値未満のときは該検出アドレスは正しいアドレスとして決定し、該予測されたアドレスと該検出されたアドレスとの差が前記所定値以上のときには予期せぬトラックジャンプであることを検出するアドレス比較手段とを更に有し、該アドレス比較手段によりトラックジャンプが検出されたときには、前記アドレス復帰手段によるアドレス復帰動作を停止することを特徴とする請求項１記載の再生装置。
【請求項３】
情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームは複数種類のパターンより選択される同期信号とデータ部分から構成され、同じ前記ブロック内での一又は連続する複数の又は一定の規則に基づいた複数の前記フレームの前記同期信号からフレームアドレスとセクタアドレスとを記録し、前記ブロック内のうち、最初のセクタの前に前記同期信号のとり得るパターンの一つを有する第１の特殊信号が挿入されており、最後のセクタの後に前記同期信号のとり得るパターンの一つを有する第２の特殊信号が挿入されて記録されている記録媒体から、記録信号を再生して前記同期信号を検出し、検出した該同期信号に基づいて前記記録媒体から情報を再生する再生装置であって、
前記記録媒体から再生された信号を入力として受け、固定周波数のマスタークロックに位相同期した再生信号とビットクロックを再生する位相同期ループ手段と、
前記マスタークロックと前記位相同期ループ手段からの前記ビットクロックの各周期の割合に比例した情報速度を測定する情報速度測定手段と、
前記情報速度測定手段で測定された前記情報速度が設定され、設定された該情報速度でカウント動作を、前記ブロックの周期で行うカウント手段と、
前記位相同期ループ手段からの前記再生信号及びビットクロックに基づいて、パターンサーチにより前記再生信号中の前記同期信号を検出する直接検出モードと、前記所定クロック数に同期させた同期検出用窓を生成し、この同期検出用窓部分において前記再生信号中の前記同期信号を検出する慣性モードのいずれかのモードにより、前記同期信号を検出すると共に、前記第１の特殊信号及び第２の特殊信号を検出し、少なくとも前記第２の特殊信号の検出時は前記直接検出モードで前記第１の特殊信号の検出を行う同期信号検出手段と、
前記同期信号検出手段により検出された前記同期信号及び前記第１の特殊信号と、前記位相同期ループ手段からの前記再生信号及びビットクロックに基づいて、前記アドレスを検出すると共に前記カウント手段のカウント値を再調整するアドレス検出手段と、
前記同期信号検出手段により前記同期信号が検出されなくなった後、再び前記同期信号が検出された時に、前記カウント手段のカウント値と前記フレームのビット長とに基づいて前記アドレスを復帰させるアドレス復帰手段と
を有することを特徴とする再生装置。
【発明の詳細な説明】
【０００１】
【発明の属する技術分野】
本発明は再生装置に係り、特に記録媒体から再生された信号より同期信号を検出する際に、検出に失敗しアドレス情報を消失したときにはアドレス情報を復帰させる再生装置に関する。
【０００２】
【従来の技術】
光ディスク等の記録媒体に記録される情報は、ＥＣＣ（Ｅｒｒｏｒ  Ｃｏｒｒｅｃｔｉｎｇ  Ｃｏｄｅ）ブロックをさらに分割して同期信号（ＳＹＮＣ）が先頭に付加された複数のフレームから構成される。フレーム長は一定であり、ＳＹＮＣは一定間隔で検出されるように記録されている。このような記録媒体からデータを再生する再生装置では、例えば図７（Ａ）に示す再生装置のマスタークロックを、再生される情報のレートに応じて位相同期ループ（ＰＬＬ）により位相同期及び周波数逓降して、同図（Ｂ）に示すマスタークロックに対して一定の比率の有効ビットフラグ（以後、ビットクロック）を生成し、これに同期した形で同図（Ｃ）に示すようにデータ信号を再生し、更にこのデータ信号から同図（Ｄ）に示すように再生信号を得ることが行われる。ここで、ビットクロックがＬ（Ｌｏｗ）レベルの期間では、情報の変化が生じないという特徴をもつ。
【０００３】
ところで、一般に、単位時間当りに記録媒体から再生される情報量は一定である。ただし、必要とされる情報量は変化するため、その場合は情報の再生を停止する。すなわち、前記ＰＬＬではマスタークロックに対するビットクロックの比率が一定である。例えば、ＭＰＥＧ（Ｍｏｖｉｎｇ  Ｐｉｃｔｕｒｅ  Ｅｘｐｅｒｔｓ  Ｇｒｏｕｐ）方式により圧縮符号化されてディスクに記録されたストリームを、当該ディスクから再生する場合、ディスクからの読み出しは一定速度で行い、処理しきれない場合には後段のメモリに蓄え、メモリが溢れる前に、ディスクからの読み出しを停止する。ＭＰＥＧストリームを再生する場合には、必要な情報量は随時変化するが、情報量の変化を処理するのは上記のメモリの後段であるため、不連続な情報の情報再生領域以外では情報の受信速度はほぼ一定とみなすことができる。
【０００４】
ここで、記録媒体の一例としての光ディスクには、例えば図８に示すフォーマットで情報信号が記録されている。同図に示すフォーマットは、光ディスクの情報記録領域を所定個数のＥＣＣブロックで分割し、各ＥＣＣブロックがｍ個（ｍは２以上の整数で、例えば１６）のセクタに分割されており、各セクタは所定クロック数を有するｎ個（ｎは２以上の整数で、例えば３１）のフレームに分割されており、各フレームの先頭には１０種類以下のパターンより選択される同期信号（図８にＳＹで示す）が挿入され、ブロック内のうち、最初のセクタの前に図８に示すように、第１の特殊信号Ｓ１が挿入され、最後のセクタの後に同期信号のとり得るパターンの一つを有する第２の特殊信号Ｓ２が挿入されたフォーマットである。ＥＣＣブロックはＲｕｎ−Ｉｎから始まり、Ｒｕｎ−Ｏｕｔで終わる。
【０００５】
また、各フレームの先頭の同期信号ＳＹは、フレームのアドレス情報（フレームアドレス）を含んでおり（固定パターンの同期情報と複数のパターンのうちの一のパターンのアドレス情報とからなり）、フレームのデータ部分にはセクタのアドレス情報（セクタアドレス）が挿入されている。ＥＣＣブロックの先頭にはランイン（Ｒｕｎ−Ｉｎ）が、ＥＣＣブロックの最後にはランアウト（Ｒｕｎ−Ｏｕｔ）が付加される。また、各フレームの同期信号ＳＹは、同一ブロック内においても同一セクタ内においても、１０種類以下のパターンのいずれかであり、すべて異なる。例えば、１０種類のパターンをＳＹ０、ＳＹ１、ＳＹ２、・・・、ＳＹ９とすると、同一セクタ内でｎ個のフレームの各同期信号は、フレームＮｏ．０ではＳＹ０、フレームＮｏ．１ではＳＹ１、フレームＮｏ．２ではＳＹ２、フレームＮｏ．３ではＳＹ３、フレームＮｏ．４ではＳＹ３、フレームＮｏ．５ではＳＹ２などのように設定される。
【０００６】
このようにすることにより、同期信号パターンの連続性を見ることで、フレームＮｏ．を導くことができる。また、第１の特殊信号Ｓ１と第２の特殊信号Ｓ２とは、上記の１０種類のパターンのいずれかが用いられる。更に、上記のセクタ中には１回しか検出されるはずのない固有の特殊パターン信号として、例えばＳＹ０が記録される。また、セクタ中の２つ以上連続した同期信号の組み合わせは、１回しか検出されるはずのない組み合わせとなるようにされている。例えば、ＳＹ１とＳＹ２が連続して検出されるような組み合わせは、フレームＮｏ．２であることが検出されれば、それは同一セクタ中には一つしか登場しないから、フレームアドレスを識別できる。
【０００７】
【発明が解決しようとする課題】
しかるに、上記のフォーマットで記録された光ディスクから情報信号を再生する装置では、同期確立からアドレス復帰までに時間がかかる。例えば、図９（Ａ）に模式的に示すセクタ＃１０を再生している状態において、再生装置が同図（Ｂ）に模式的に示すように同期状態Ｉから同期信号の検出ができず同期情報を紛失した時には、擬似同期状態ＩＩに移行する。
【０００８】
ここで、一般に再生装置では、同期信号をパターンサーチによって検出する直接検出モードと、次に再生されるべき同期信号の再生時間位置を予想した同期検出用窓（マスク）を所定クロック数に同期させて生成し、その同期検出用窓部分において同期信号が検出されないときに擬似同期信号を発生する慣性モードのいずれかで同期信号を検出するようにしており、上記の擬似同期状態ＩＩは慣性モードで動作しているときであり、このときには擬似同期信号が、前回の同期信号再生位置にフレーム長を加算して得られた予想時間位置に発生される。
【０００９】
この例では、同期信号を検出できず擬似同期信号が３個出力されると、同期検出用窓（マスク）を用いず、上記の直接検出モードに自動的に移行して全データ領域からパターン認識により同期信号の検出を行う。この直接検出モードでは図９（Ｂ）にＩＩＩで模式的に示すように一旦同期消失状態となり、同図（Ｃ）に示すように再生される同期フラグが消失するが、その後、同図９（Ｂ）にＩＶで示すように再び同期信号が検出されて同期状態に戻る。なお、同期状態では前記慣性モードとされる。また、図９の例では、同図（Ｅ）に示すように、フレームアドレスが同期状態ＩＶになってから、２フレームで復帰し、また、次のセクタ＃１１の先頭から３フレームで同図（Ｄ）に示すようにセクタアドレスが検出される。
【００１０】
上記の場合は一つのＥＣＣブロックの中間位置でのアドレス復帰の様子を示しており、この場合は特に問題はないが、相隣る２つのＥＣＣブロックの繋ぎ目においては、同期信号が所定の周期で連続していないため、上述した問題が発生する可能性がある。すなわち、図１０（Ａ）に示す再生データにおいて、ＥＣＣブロックの最後のセクタ＃１６の直後に設けられた領域Ｒｕｎ−Ｏｕｔで終わり、それに続いて次のＥＣＣブロックの最初のセクタ＃１の直前に設けられた領域Ｒｕｎ−Ｉｎの長さは決まっているが、実際には上書きしたような状態で変化する。ここで、Ｒｕｎ−Ｏｕｔはいずれかの同期信号パターンと同じパターンの第２の特殊信号Ｓ２から始まり、Ｒｕｎ−Ｉｎにもいずれかの同期信号パターンと同じパターンの第１の特殊信号Ｓ１が含まれる。
【００１１】
従って、例えば、図１０（Ａ）に示すように、再生データがＥＣＣブロックの最後のセクタ＃１６の最初の同期信号ＳＹ０の直前から同図（Ｂ）にＶで示すように一旦同期が外れて前記慣性モードにより擬似同期信号を３個発生した後、同図（Ｂ）にＶＩで示すように前記直接検出モードに移行して同期信号の検出を行って一旦同期消失状態となり、同図（Ｃ）に示すように再生される同期信号（同期フラグ）が消失するが、その後、セクタ＃１６の２フレーム以降に再び同期信号が検出されて同図（Ｂ）にＶＩＩで示すように同期状態に戻った場合、セクタアドレスはセクタの最初の３フレームのアドレス情報のみからアドレス検出可能であるため、同図（Ｄ）に示すようにセクタアドレス「１６」を検出できず、その結果、同図（Ｂ）にＶＩＩＩで示すようにＲｕｎ−Ｏｕｔの第２の特殊信号Ｓ２の検出に失敗したときは、再び前記慣性モードに移行して擬似同期信号を発生する。なお、図１０（Ｅ）はフレームアドレスを示す。
【００１２】
この場合、Ｒｕｎ−Ｉｎには第１の特殊信号Ｓ１が含まれているため、Ｒｕｎ−Ｏｕｔの検出に失敗して、図１０（Ｂ）にＶＩＩＩで模式的に示すように擬似同期状態になっても、第１の特殊信号Ｓ１の検出結果に基づいて、リセットが行われるため、ＥＣＣブロックの先頭では同図（Ｂ）にＩＸで模式的に示すように同期状態に戻る。しかしながら、第１の特殊信号Ｓ１の検出にも失敗すると、所定回数の擬似同期信号挿入の間、及びその後の直接検出モードでなかなか正常な同期信号を検出できず、ＥＣＣブロックの先頭の数フレームを完全に消失してしまう危険性がある。
【００１３】
このように、図８に示したフォーマットで情報信号が記録された光ディスクの記録情報信号を再生する従来の再生装置では、ＥＣＣブロックが１６セクタから構成され、各セクタは３１フレームから構成され、フレームアドレスは２フレームのアドレス情報から検出可能であるが、セクタアドレスはセクタの最初の３フレームのアドレス情報からのみアドレス検出可能であるため、上記のようにＥＣＣブロックの先頭の数フレームを完全に消失してしまうと、セクタアドレスは最大で３０フレームの間復帰できない。
【００１４】
本発明は以上の点に鑑みなされたもので、再生された信号より同期信号の検出に失敗しアドレス情報を消失した際、同期信号の再検出後に高速にアドレス情報を復帰させ得る再生装置を提供することを目的とする。
【００１５】
【課題を解決するための手段】
上記の目的を達成するため、第１の発明は、情報記録領域が複数の階層の情報単位で記録され、最下位の階層の情報単位はフレームであり、フレームは同期信号とデータ部分から構成されると共に各階層の情報単位のアドレス情報の一部又は全部を含み、連続する一又は二以上のフレーム又は一定の規則に従って配置された一又は二以上のフレームに含まれるアドレス情報に基づいて、複数の階層のうち少なくとも一以上の階層の情報単位のアドレスが記録され、フレームはアドレス順に記録された記録媒体から記録信号を再生して同期信号を検出し、検出した同期信号に基づいて情報を再生する再生装置であって、記録媒体から再生された信号を入力として受け、固定周波数のマスタークロックに位相同期した再生信号とビットクロックを再生する位相同期ループ手段と、マスタークロックと位相同期ループ手段からのビットクロックの各周期の割合に比例した情報速度を測定する情報速度測定手段と、情報速度測定手段で測定された情報速度が設定され、設定された情報速度でカウント動作を、最上位の階層の情報単位の周期で行うカウント手段と、位相同期ループ手段からの再生信号及びビットクロックに基づいて、再生信号中の同期信号を検出する同期信号検出手段と、同期信号検出手段により検出された同期信号と、位相同期ループ手段からの再生信号及びビットクロックに基づいて、アドレスを検出すると共にカウント手段のカウント値を再調整するアドレス検出手段と、同期信号検出手段により同期信号が検出されなくなった後、再び同期信号が検出された時に、カウント手段のカウント値とフレームのビット長とに基づいてアドレスを復帰させるアドレス復帰手段とを有する構成としたものである。
【００１６】
この発明では、同期信号が検出できたか否かに関係なく、予め測定した情報速度でカウント手段のカウント動作を行わせるようにしたため、同期信号を検出できないときでも、カウント手段のカウント値に基づいて大まかな現在のアドレスを特定することができる。
【００１７】
また、上記の目的を達成するため、第２の発明は、カウント手段のカウント値とフレームのビット長とに基づいて、次に再生されるべきアドレスを予測するアドレス予測手段と、アドレス予測手段により予測されたアドレスと、アドレス検出手段により検出されたアドレスとを比較し、予測されたアドレスと検出されたアドレスとの差が予め設定した所定値未満のときは検出アドレスは正しいアドレスとして決定し、予測されたアドレスと検出されたアドレスとの差が所定値以上のときには予期せぬトラックジャンプであることを検出するアドレス比較手段とを更に有し、アドレス比較手段によりトラックジャンプが検出されたときには、アドレス復帰手段によるアドレス復帰動作を停止することを特徴とする。
【００１８】
この発明では、ディフェクトや振動が原因で予期せぬトラックジャンプが生じた場合には、カウント手段のカウント値とフレームのビット長とに基づいて予測された次に再生されるべきアドレスと、アドレス検出手段により検出されたアドレスとの差が所定値以上となるため、これを利用することによって、ディフェクトによって生じた予期せぬトラックジャンプの検出を行うことができる。
【００１９】
また、上記の目的を達成するため、第３の発明は、情報記録領域が所定個数のブロックに分割され、各ブロックがｍ個（ｍは２以上の整数）のセクタに分割されており、各セクタは所定クロック数を有するｎ個（ｎは２以上の整数）のフレームに分割されており、各フレームは複数種類のパターンより選択される同期信号とデータ部分から構成され、同じブロック内での一又は連続する複数の又は一定の規則に基づいた複数のフレームの同期信号からフレームアドレスとセクタアドレスとを記録し、ブロック内のうち、最初のセクタの前に同期信号のとり得るパターンの一つを有する第１の特殊信号が挿入されており、最後のセクタの後に同期信号のとり得るパターンの一つを有する第２の特殊信号が挿入されて記録されている記録媒体から、記録信号を再生して同期信号を検出し、検出した同期信号に基づいて記録媒体から情報を再生する再生装置であって、記録媒体から再生された信号を入力として受け、固定周波数のマスタークロックに位相同期した再生信号とビットクロックを再生する位相同期ループ手段と、マスタークロックと位相同期ループ手段からのビットクロックの各周期の割合に比例した情報速度を測定する情報速度測定手段と、情報速度測定手段で測定された情報速度が設定され、設定された情報速度でカウント動作を、ブロックの周期で行うカウント手段と、位相同期ループ手段からの再生信号及びビットクロックに基づいて、パターンサーチにより再生信号中の同期信号を検出する直接検出モードと、所定クロック数に同期させた同期検出用窓を生成し、この同期検出用窓部分において再生信号中の同期信号を検出する慣性モードのいずれかのモードにより、同期信号を検出すると共に、第１の特殊信号及び第２の特殊信号を検出し、少なくとも第２の特殊信号の検出時は直接検出モードで第１の特殊信号の検出を行う同期信号検出手段と、同期信号検出手段により検出された同期信号及び第１の特殊信号と、位相同期ループ手段からの再生信号及びビットクロックに基づいて、アドレスを検出すると共にカウント手段のカウント値を再調整するアドレス検出手段と、同期信号検出手段により同期信号が検出されなくなった後、再び同期信号が検出された時に、カウント手段のカウント値とフレームのビット長とに基づいてアドレスを復帰させるアドレス復帰手段とを有する構成としたものである。
【００２０】
この発明では、相隣る２つのブロックのつなぎ目付近で同期信号の周期性が崩れるフォーマットにおいて、ブロックの最後のセクタで同期信号が検出できなくなっても、カウント手段のカウント値とフレームのビット長とに基づいてアドレスを復帰できるため、ブロックの最後のセクタ内のフレームであることを検出することができる。
【００２１】
【発明の実施の形態】
次に、本発明の実施の形態について図面と共に説明する。図１は本発明になる再生装置の一実施の形態の要部のブロック図を示す。この実施の形態は、図８に示したフォーマットで情報信号が記録されているディスクから情報信号を再生する装置で、図１に示す全ブロックは固定周波数であるマスタークロックで動作していて、ディスクより再生された情報信号（再生データＡ）は非同期な信号であるが、ＰＬＬ１１によりマスタークロックに同期した再生信号Ｂ及びその有効フラグであるビットクロックとして出力される。
【００２２】
情報速度測定装置１２は、ＰＬＬ１１から出力されたビットクロックを入力として受け、マスタークロックの周期Ｔの期間内での入力ビットクロックの数Ｓをカウントして、そのカウント値を情報速度記憶装置１３に情報速度として記憶する。他方、同期情報検出装置１４は、ＰＬＬ１１から出力された再生データＢ及びビットクロックを入力として受け、これら再生データＢ及びビットクロックに基づいて再生データＢ中の同期信号（同期情報）を検出し、その検出結果をカウンタ１５、アドレス予想装置１６、アドレス検出装置１７にそれぞれ供給する。また、同期情報検出装置１４は、第１及び第２の特殊信号Ｓ１及びＳ２を検出する機能を有し、第１の特殊信号Ｓ１の検出時には、カウンタ１５をリセットし、第２の特殊信号Ｓ２の検出時には、前記直接検出モードにて同期信号を検出する。
【００２３】
カウンタ１５は、情報速度記憶装置１３に記憶された情報速度の値（すなわち、マスタークロックの周期Ｔの期間内での入力ビットクロックの数Ｓ）が設定され、その設定情報速度で自走してカウント動作を行うと共に、同期情報検出装置１４で検出された必要なアドレス情報の最上位階層の先頭アドレス（例えば３階層Ｎ０、Ｎ１、Ｎ２のアドレスが必要であるならば、Ｎ２の先頭アドレス）でリセットされる。
【００２４】
一方、アドレス検出装置１７は、ＰＬＬ１１から出力された再生データＢ及びビットクロックを入力として受け、これら再生データＢ及びビットクロックに基づいて再生データＢのアドレスを検出すると共に、アドレス検出中に同期情報検出装置１４から同期情報検出の通知があった場合には、カウンタ１５の値をアドレス検出装置１７で検出したアドレスから逆算して再設定する。
【００２５】
また、アドレス検出装置１７は、同期情報検出装置１４から同期情報検出の通知があった場合には、アドレス情報を読み出し、現状のアドレスを決定し、決定したアドレスをアドレス記憶部１８に供給して記憶させると共に、アドレス予想装置１６及びアドレス比較装置１９にそれぞれ供給する。また、アドレス検出装置１７は、アドレスの決定ができない場合には、特定のアドレスを用いてカウンタ１５やアドレス予想装置１６にアドレスが検知できていないことを通知する。
【００２６】
アドレス予想装置１６は、カウンタ１５の値及びフレーム長Ｌから予想アドレスを計算し、計算した予想アドレスをアドレス比較装置１９へ供給する。アドレス比較装置１９は、アドレス検出装置１７で検出されたアドレスと、アドレス予想装置１６で計算された予想アドレスとの比較を行い、それらのアドレスの差が予め設定した値Ｍ以上異なる場合には、またはＳＹＮＣ検出時に、カウンタ１５の値がアドレスから求められるカウンタ値と予め設定した値Ｎ以上異なる場合には、トラックジャンプが行われたことをコントロール装置（図示せず）に通知する。また、検出アドレスと予想アドレスとが一致する時には、検出アドレスが正しいアドレスとして決定する。
【００２７】
次に、本実施の形態の動作の具体例について図２乃至図４を併せ参照して説明する。図２は図９と同じ再生状態での各信号を示しており、図９と同一部分には同一符号を付し、その説明を省略する。図１に示したカウンタ１５は同期信号が消失したか否かに関係なく、設定情報速度に基づいて自らカウント動作を行っており、１フレームは１９３２ビットであるので、１セクタはその３１倍の５９８９２ビットであり、カウンタ１５が１ビットにつき１カウントするものとすると、図２（Ｆ）に示すように、カウント値が「５９１１９２」のときには９セクタ＋２７フレーム、つまり第１０セクタの第２８フレームの先頭を示している。
【００２８】
図２の例では、再生装置が図２（Ｂ）にＩＶで模式的に示すように、同期状態に復帰するが、このときのカウンタ１５の値「５９１１９２」から直ちに、同図（Ｅ）に示すようにフレームアドレスが１０セクタ目の第２８フレームであることが分かる。また、同期状態復帰後の２フレーム目でアドレス検出装置１７によりフレームアドレスが得られ、更にセクタ＃１１の最初のフレームから３フレーム目でセクタアドレスが得られ、これらのアドレスに基づきアドレス予想装置１６で得られる予想アドレスと、アドレス検出装置１７により検出されたアドレスとが順次アドレス比較装置１９で比較される。
【００２９】
次に、相隣る２つのＥＣＣブロックの繋ぎ目付近でのアドレス復帰動作について説明する。図３は図１０と同じ相隣る２つのＥＣＣブロックの繋ぎ目付近での各信号を示しており、図１０と同一部分には同一符号を付し、その説明を省略する。
【００３０】
図３（Ａ）に示すように、再生データがＥＣＣブロックの最後のセクタ＃１６の最初の同期信号ＳＹ０の直前から同図（Ｂ）にＶで示すように一旦同期が外れて前記慣性モードに移行して擬似同期信号を３個発生した後、同図（Ｂ）にＶＩで示すように前記直接検出モードに移行して同期信号の検出を行って一旦同期消失状態となり、同図（Ｃ）に示すように再生される同期信号（同期フラグ）が消失するが、その後、セクタ＃１６の２フレーム以降に再び同期信号が検出されて同図（Ｂ）にＶＩＩで示すように同期状態に戻った場合、このとき同図（Ｆ）に示すように、カウンタ１５の値は「９０４１７６」であり、これはＥＣＣブロックの先頭から９０４１７６ビット目、すなわち１６セクタ目の第４フレームの先頭を示しているので、このカウンタ値に基づくアドレス予想装置１６の予想アドレスにより、直ちに同図（Ｄ）に示すようにセクタアドレスは「１６」、同図（Ｅ）に示すようにフレームアドレスは「４」と検出される。
【００３１】
同期状態に復帰した後の最初の２フレームからフレームアドレスがアドレス検出装置１７により検出され、同期状態に復帰した時のフレームアドレスが「５」であると検出されると、この検出フレームアドレスと、カウンタ値に基づくアドレス予想装置１６の予想アドレスも上記の「４」から１進んだ「５」であるので、それらのフレームアドレスがアドレス比較装置１９での比較の結果が一致し、正しいフレームアドレスと確認される。これにより、セクタアドレスも「１６」であると推定される。
【００３２】
その結果、再生装置は現在のセクタアドレスが「１６」であるとみなして、セクタ＃１６の直後は第２の特殊信号Ｓ２がフレーム周期とは異なる周期で再生されるはずであるので、セクタ＃１６のフレームアドレス「３１」を検出した後は、前記慣性モードには移行せず、図３（Ｂ）にＸで示すように自動的に直接検出モードに移行して、第２の特殊信号Ｓ２及び第１の特殊信号Ｓ１のパターン検出を行う。なお、第２の特殊信号Ｓ２を検出した時点で自動的に直接検出モードに移行するようにしてもよい。
【００３３】
これにより、第２の特殊信号Ｓ２及び第１の特殊信号Ｓ１の検出に成功でき、よって、第２の特殊信号Ｓ２付近から図３（Ｂ）にＸで示すように同期消失状態になることはあっても、擬似同期信号の挿入は行われない。このようにして、本実施の形態によれば、相隣る２つのＥＣＣブロックの繋ぎ目付近で同期外れが発生しても、高速なアドレス復帰が可能となる。なお、第１の特殊信号Ｓ１が検出されると、慣性モードに移行すると同時に、同期検出用窓の位置をフレームの最初の同期信号の推定位置に再設定する。
【００３４】
次に、本実施の形態における予期しないトラックジャンプの検出例について、図４と共に説明する。再生装置が前記慣性モードから前記直接検出モードに移行して図４（Ｂ）にＩＩＩで模式的に示す同期消失状態からＩＶで模式的に示す同期状態に復帰したときのカウンタ１５の値は、同図（Ｆ）に示すように、「５９１１９２」であるから、直ちに同図（Ｄ）に示すようにセクタアドレスが「１０」、同図（Ｅ）に示すようにフレームアドレスが「２８」であることが分かる。
【００３５】
続いて、同期状態に復帰した後の最初の２フレームからフレームアドレスがアドレス検出装置１７により検出され、図４（Ｅ）に示すように同期状態に復帰した後のフレームアドレスが「２４」であると検出されると、この検出フレームアドレスと、カウンタ値に基づくアドレス予想装置１６の予想アドレスが上記の「２８」から１進んだ「２９」であるので、それらのフレームアドレスがアドレス比較装置１９での比較の結果、不一致となる。
【００３６】
このときの予測アドレスと検出アドレスとの差である「５」が、予め設定したＭ（Ｍは自然数）以上であるものとすると、アドレス比較装置１９は予期せぬトラックジャンプを生じたものと判断して、トラックジャンプ検出信号をコントロール装置へ出力する。
【００３７】
なお、図４の例では、同期状態になってから、セクタ＃１４の最初の３フレームの各同期信号からアドレス検出装置１７で検出されたセクタアドレスが「１４」であると分かり、この時のカウンタ１５の値「７２２５６８」は１３セクタ目の第２フレームの先頭を示しており、両セクタアドレスは異なる。
【００３８】
上記のトラックジャンプ検出時には、コントロール装置はカウンタ１５の値及びフレーム長Ｌからアドレスを復帰させる動作を停止する。また、情報速度測定装置１２はビットクロックの入力を監視する機能も有しており、所定数以上ビットクロックが入力されなかったときには、再生が停止されたと判断して、その再生停止検出信号をコントロール装置に供給する。このときもコントロール装置は、カウンタ１５の値及びフレーム長Ｌからアドレスを復帰させる動作を停止する。なお、再生停止を専用の回路で検出するようにしてもよい。
【００３９】
次に、本発明の再生装置の一実施の形態の要部の動作について、更に図５のフローチャートと共に説明する。まず、カウンタ１５の値が無効であるかどうか判定される（ステップＳ１）。初期状態では全く同期がとれていないので、カウンタ１５の値は無効である。カウンタ１５の値が無効であり、同期信号（同期フラグ）、フレームアドレス及びセクタアドレスのいずれか一つでも検出されない時にはこの処理は終了するが、すべて検出された時にはアドレス検出装置１７からのアドレスによりカウンタ１５を再設定し、カウンタ１５を有効にして処理を終了する（ステップＳ９〜Ｓ１２）。
【００４０】
他方、カウンタ１５の値が有効であるときには、同期信号（同期フラグ）、フレームアドレスがそれぞれ検出され、下位アドレスであるフレームアドレスが有効であり、更にセクタアドレスが検出され、上位アドレスであるセクタアドレスが有効であるときには同期状態にあり、アドレス検出装置１７により検出されたアドレスに基づいて、カウンタ１５の値の再調整が行われる（ステップＳ２〜Ｓ７）。なお、下位アドレスとは、フレーム部分のアドレス部分のみを表すカウンタの値を、１セクタのカウンタ数で割った余りで、フレームアドレスに相当する。
【００４１】
カウンタ１５の値が有効であるが、同期信号が検出されないときには、カウンタ１５の値が「１９３２×３２×１６」、すなわち一つのＥＣＣブロックの全ビット数に達したかどうか判定し（ステップＳ８）、達していない時には引き続きカウンタ１５を、予め測定した情報の速度（マスタークロックＴ周期内のカウントアップ数Ｓの割合）でカウントアップし（ステップＳ１３）、達した時にはカウンタ１５を０にリセットする（ステップＳ１４）。
【００４２】
また、カウンタ１５の値が有効であり、同期信号が検出されてもフレームアドレスが検出されない時には、カウンタ１５の値に基づいてフレームアドレス及びセクタアドレスを生成する（ステップＳ１、Ｓ２、Ｓ３、Ｓ１５）。ステップＳ３でフレームアドレスが検出されたと判定された場合、そのフレームアドレス（下位アドレス）が、アドレス比較装置１９による比較の結果、前回検出された下位アドレスと所定値以上異なっているときには、下位アドレス無効と判定され（ステップＳ４）、トラックジャンプが発生したと検出され（ステップＳ１６）、セクタアドレスが検出されたかどうか判定される（ステップＳ１７）。セクタアドレスが検出されていれば、そのアドレスからカウンタ１５の値を再調整するが（ステップＳ１８）、セクタアドレスが検出されていなければ、カウンタ１５の値を無効とする（ステップＳ１９）。
【００４３】
また、ステップＳ４で下位アドレスが有効であると判定された場合、続いてセクタアドレスが検出されたかどうか判定され（ステップＳ５）、セクタアドレスが検出されなかったときには、有効と判定された下位アドレス（フレームアドレス）に基づいて、カウンタ１５のフレームアドレスに相当する下位の値（下位カウンタの値）を再調整する（ステップＳ２０）。
【００４４】
更に、ステップＳ５でセクタアドレスが検出されたと判定された時には、続いて上位アドレスが有効かどうか判定され（ステップＳ６）、検出されたセクタアドレス（上位アドレス）が、アドレス比較装置１９による比較の結果、前回検出された上位アドレスと所定値以上異なっているときには、上位アドレス無効と判定され（ステップＳ６）、トラックジャンプが発生したと検出される（ステップＳ２１）。
【００４５】
このように、カウンタ１５の値が無効となるのはトラックジャンプを検知し、かつ、セクタアドレスが検出できていない場合である（ステップＳ１６、Ｓ１７、Ｓ１９）。再生データからフレームアドレス及びセクタアドレスが検出されると、これらのアドレスからカウンタ１５の再調整が行われ、カウンタ１５の値が有効となる（ステップＳ９〜Ｓ１２）。
【００４６】
再生データより検出されたアドレスから常にカウンタ１５の値を上書きし、再生データよりアドレスが未検出の時のみ、カウンタ１５からアドレスを計算する（ステップＳ１５）。アドレス生成、カウンタ１５の再調整、トラックジャンプ検出判定等の各処理が行われるのは同期検出された時のみであり、それ以外の場合は、カウンタ１５が有効であればカウンタ１５を予め測定した情報の速度で増加させる（ステップＳ１、Ｓ２、Ｓ８、Ｓ１３）。ただし、カウンタがＥＣＣのサイズ（１９３２×１６×３１）に達したならば０に戻す（ステップＳ１４）。
【００４７】
次に、本発明をディスクからの再生データのビットエラー測定装置に応用した例について説明する。図６はビットエラー測定装置の一実施の形態のブロック図を示す。同図中、図１と同一構成部分には同一符号を付し、その説明を省略する。図６において、コントロール装置２０は、アドレス比較装置１９から予期せぬトラックジャンプの検出信号が入力される。
【００４８】
比較データ記憶装置２１は、再生データＢとの比較を行うためのデータを、アドレス記憶部１８から読み出して記憶する。データ遅延装置２２は、比較データ記憶装置２１からの比較データと、ＰＬＬ１１からの再生データＢとの位相を合わせるために、再生データ及びビットクロックを遅延してビット比較装置２３に供給する。
【００４９】
ビット比較装置２３は、再生データＢと比較データとの排他的論理和（ＥＸＯＲ）をとり、２つの入力データの論理が一致するときにはローレベル、不一致のときはハイレベルのエラー信号を出力する。エラーカウンタ２４は、入力エラー信号がハイレベルならばカウントアップし、ローレベルならば値を保持することによって、ビットエラーをカウントする。
【００５０】
図６に示したビットエラー測定装置に図１に示した本発明の再生装置を用いない場合には、同期が外れた場合、再び同期が復活してもセクタアドレスの特定ができるまでエラーの測定ができない。そのため、最大で３０フレームの間、エラーの測定ができない可能性がある。本発明装置を用いた場合には、カウンタ１５の値からすぐにアドレスが復帰できるため、１フレーム目からエラーの測定が可能となる。
【００５１】
なお、上記の実施の形態では、記録媒体の情報記録領域が、ブロック、セクタ及びフレームの３つの階層の情報単位で記録され、最下位の階層の情報単位であるフレームは同期信号とデータ部分から構成されると共にフレームアドレスとセクタアドレスの一部を含むようにしているが、本発明はこれに限定されるものではなく、３以外の複数の階層の情報単位で記録されてもよく、また、連続する一定数の前記フレーム又は一定の規則に従って配置された複数の前記フレームに含まれるアドレス情報に基づいて、複数の階層のうち少なくとも一以上の階層の情報単位のアドレスが記録されていてもよい。
【００５２】
また、フレームアドレスは２フレームのアドレス情報から検出され、セクタアドレスはセクタの最初の３フレームのアドレス情報から検出されるものとしたが、これに限定されるものではなく、連続する一又は二以上のフレーム又は一定の規則に従って配置された一又は二以上のフレームに含まれるアドレス情報からフレームアドレスやセクタアドレスを記録し、再生するようにしてもよい。更に、記録媒体は光ディスク等のディスク以外の記録媒体にも適用可能である。
【００５３】
【発明の効果】
以上説明したように、本発明によれば、同期信号が検出できたか否かに関係なく、予め測定した情報速度でカウント手段のカウント動作を行わせることで、同期信号を検出できないときでも、カウント手段のカウント値に基づいて大まかな現在のアドレスを特定することができるため、同期信号が再検出できた場合に最も近いアドレスを当てはめることで、高速にアドレスの復帰ができる。大まかといっても、実際のデータ再生時のアドレス検出との誤差は数クロック以内に抑えられると思われる。
【００５４】
また、本発明によれば、ディフェクトや振動が原因で予期せぬトラックジャンプが生じた場合には、カウント手段のカウント値とフレームのビット長とに基づいて予測された次に再生されるべきアドレスと、アドレス検出手段により検出されたアドレスとの差が所定値以上となるため、これを利用することによって、ディフェクトによって生じた予期せぬトラックジャンプの検出を行うことができる。また、ビットエラーを測定する装置においては、すばやいアドレス情報の復帰によって、エラー測定をより確実に行うことができる。
【００５５】
更に、本発明によれば、相隣る２つのブロックのつなぎ目付近で同期信号の周期性が崩れるフォーマットにおいて、ブロックの最後のセクタで同期信号が検出できなくなっても、カウント手段のカウント値とフレームのビット長とに基づいてアドレスを復帰でき、これにより、ブロックの最後のセクタ内のフレームであることを検出でき、自動的に直接検出モードに移行することで、擬似同期信号を挿入することなく、第１の特殊信号の検出に成功でき、次のブロックの先頭の重要なデータを正しく抽出できる。
【図面の簡単な説明】
【図１】本発明の再生装置の一実施の形態のブロック図である。
【図２】ＥＣＣブロックの中間部分からの再生データに対する図１の各部の一例のアドレス復帰動作説明図である。
【図３】相隣る２つのＥＣＣブロックの繋ぎ目付近からの再生データに対する図１の各部の一例のアドレス復帰動作説明図である。
【図４】予期しないトラックジャンプが発生した時の図１の各部の動作説明図である。
【図５】本発明の一実施の形態の要部の動作説明用フローチャートである。
【図６】本発明装置を適用したビットエラー測定装置の一実施の形態のブロック図である。
【図７】再生される情報のレートに応じてＰＬＬがマスタークロックに対して一定の比率の有効ビットフラグ（以後ビットクロック）を立てこれに同期した形でデータの再生が行われる例を示す図である。
【図８】本発明に適用される記録フォーマットの一例を示す図である。
【図９】ＥＣＣブロックの中間部分からの再生データに対する従来装置の一例のアドレス復帰動作説明図である。
【図１０】相隣る２つのＥＣＣブロックの繋ぎ目付近からの再生データに対する従来装置の一例のアドレス復帰動作説明図である。
【符号の説明】
１１  ＰＬＬ（位相同期ループ）
１２  情報速度測定装置
１３  情報速度記憶装置
１４  同期情報検出装置
１５  カウンタ
１６  アドレス予想装置
１７  アドレス検出装置
１８  アドレス記憶部
１９  アドレス比較装置
２０  コントロール装置
２１  比較データ記憶装置
２２  データ遅延装置
２３  ビット比較装置
２４  エラーカウンタ
【図１】
2004335045.tif 000003
【図２】
2004335045.tif 000004
【図３】
2004335045.tif 000005
【図４】
2004335045.tif 000006
【図５】
2004335045.tif 000007
【図６】
2004335045.tif 000008
【図７】
2004335045.tif 000009
【図８】
2004335045.tif 000010
【図９】
2004335045.tif 000011
【図１０】
2004335045.tif 000012